(57)【特許請求の範囲】
【請求項１】
複数の商品サンプルを並べて配置するための自動販売機用サンプル取付台であって、
各商品サンプルの取付位置に、本体上面より突出して本体上面と略平行に前方へ延びる第１の突出部と、本体上面より突出して上方へ延びる左右一対の第２の突出部と、を有することを特徴とする自動販売機用サンプル取付台。
【請求項２】
前記第１の突出部は、前記左右一対の第２の突出部の間に形成されることを特徴とする請求項１記載の自動販売機用サンプル取付台。
【請求項３】
前記サンプル取付台の内部は、照明光源の配置空間であり、
前記本体上面の前記第１及び第２の突出部の後方は、透光用の開口部をなしていることを特徴とする請求項１又は請求項２記載の自動販売機用サンプル取付台。
【請求項４】
前記開口部は、複数の商品サンプルの並設方向に少なくとも２つ以上の商品サンプルの取付位置に跨って連続していることを特徴とする請求項３記載の自動販売機用サンプル取付台。
【請求項５】
前記左右一対の第２の突出部の後方に、本体上面より突出して第２の突出部と略平行に上方へ延びる第３の突出部を更に有することを特徴とする請求項１〜請求項４のいずれか１つに記載の自動販売機用サンプル取付台。
【請求項６】
板金製で、前記突出部は、本体上面より切り起こされた切り起こし部であることを特徴とする請求項１〜請求項５のいずれか１つに記載の自動販売機用サンプル取付台。
【請求項７】
請求項１〜請求項６のいずれか１つに記載のサンプル取付台を備えることを特徴とする自動販売機。
【発明の詳細な説明】
【技術分野】
【０００１】
本発明は、商品サンプルを並べて配置するための自動販売機用サンプル取付台、及び、これを用いた自動販売機に関する。
【背景技術】
【０００２】
自動販売機におけるサンプル取付台としては、商品サンプルの展示効果を上げるために、内部に照明光源を配置した構成のものが一般的であり、サンプル取付台の上面には照明用透孔を兼ねる装着孔を設けている。この装着孔は、従来の商品サンプルのほとんどが円筒状（缶、びん、ＰＥＴボトルなど）のため、これに対応すべく円形のものが多い。
【０００３】
一方、商品サンプルとして、近年、経済性を考慮して、商品形状に倣った合成樹脂製の筒状のものよりも、前面側半分を模した半割り状のものが多くなっている。このため、特許文献１に示されているように、サンプル取付台の装着孔にアタッチメント（取付補助具）を取付け、このアタッチメントを介して、商品サンプルを取付けるようにしている。
【先行技術文献】
【特許文献】
【０００４】
【特許文献１】特開２００６−１６３８５６号公報
【発明の概要】
【発明が解決しようとする課題】
【０００５】
しかしながら、従来においては、サンプル取付台とは別にアタッチメントを用意する必要があるばかりか、商品サンプルの種類（取付態様）に応じてアタッチメントを選択する必要がある。このため、商品サンプルの取付作業に時間がかかり、商品変更に伴うサンプル変更には更に大きな労力が必要となる。しかも、サンプル取付台とは別にアタッチメントが必要となることが、コストアップの要因となっていた。
【０００６】
本発明は、このような実状に鑑み、サンプル取付台を工夫することにより、アタッチメントを使用することなく、少なくとも２種類の商品サンプルを取付可能とすることを課題とする。
【課題を解決するための手段】
【０００７】
上記の課題を解決するために、本発明に係るサンプル取付台は、各商品サンプルの取付位置に、本体上面より突出して本体上面と略平行に前方へ延びる第１の突出部と、本体上面より突出して上方へ延びる左右一対の第２の突出部と、を有する構成とする。
【０００８】
ここで、前記第１の突出部は、本体上面と協働して、半割り筒状の商品サンプルの底面側後縁部を挟持することにより、当該商品サンプルを取付可能である。
また、前記第２の突出部は、左右の側部に係止溝を有する商品サンプルの前記係止溝に係合することにより、当該商品サンプルを取付可能である。
【０００９】
本発明はまた、上記構成（すなわち、板金製で、第１及び第２の突出部を有する構成）のサンプル取付台を備える自動販売機を提供するものである。
【発明の効果】
【００１０】
本発明によれば、各商品サンプル取付位置に、前記第１及び第２の突出部のうち、いずれか一方の突出部を用いて、取付態様の異なる少なくとも２種類の商品サンプルを選択的に取付可能となる。
しかも、アタッチメントが不要となることから、取付作業の容易化、コストダウンを実現できる。
【図面の簡単な説明】
【００１１】
【図１】本発明の一実施形態を示す自動販売機の全体斜視図
【図２】サンプル取付台の平面図
【図３】サンプル取付台の正面図
【図４】サンプル取付台の要部拡大平面図
【図５】サンプル取付台の要部拡大正面図
【図６】サンプル取付台の要部拡大側面図
【図７】第１のタイプの商品サンプルの取付状態を示すサンプル取付台の側面図
【図８】第２のタイプの商品サンプルの取付状態を示すサンプル取付台の側面図
【発明を実施するための形態】
【００１２】
以下、本発明の実施の形態について、詳細に説明する。
図１は本発明の一実施形態を示す自動販売機の全体斜視図である。
【００１３】
この自動販売機は、缶飲料等（詳しくは、缶、びん、ＰＥＴボトル入りの飲料等）の商品を販売するものであり、箱形のキャビネット１と、このキャビネット１の前面開口を開閉自在に覆うメインドア２とを備えている。
【００１４】
キャビネット１内には断熱室が設けられ、この断熱室の前面開口は断熱ドアによって開閉自在に覆われている。断熱室内は断熱性仕切板によって複数の単位室に区画され、各単位室にはサーペンタインコラム等からなる商品コラムが１ないし複数設置されている。各商品コラムには缶飲料等の商品が収納されていて、各商品コラムには、販売指令に基づいて収納商品を１個宛搬出可能な商品搬出機が設けられている。
【００１５】
また、キャビネット１内には、単位室毎の商品冷却又は商品加温を可能とした冷却加温装置が設けられ、各商品コラムに収納されている商品は所定温度に冷却又は加温された状態、あるいは、冷却及び加温を行わない常温状態で販売される。
【００１６】
一方、メインドア２は前面に窓穴２ａを有し、この窓穴２ａは樹脂やガラス等からなる透明パネル３によって塞がれている。また、メインドア２は後面に窓穴２ｂを有し、この窓穴２ｂはサブドア４によって開閉自在に覆われている。
【００１７】
サブドア４の前面には、横長のサンプル取付台５が上下方向に間隔をおいて複数個取付けられ、各サンプル取付台５の上面には商品サンプル６が左右方向に並べて配置されている。また、透明パネル３の前面には、複数の商品選択ボタン７が商品サンプル６のそれぞれに対応して設けられている。
【００１８】
また、メインドア２の前面には、メインドア２用のロック８と、コイン投入口９と，返却レバー１０と、紙幣投入口１１と、表示パネル１２と、コイン返却口１３と、商品取出口１４とが設けられている。
【００１９】
次に、本発明に係るサンプル取付台５について説明する。
図２はサンプル取付台の平面図、図３はサンプル取付台の正面図であり、商品サンプルを取付けた状態で示している。
【００２０】
サンプル取付台５は、板金製であり、その本体は、横長で、上面５ａと、前面５ｂと、左右の側面５ｃ、５ｄとからなる。
【００２１】
本体上面５ａの前縁側には、商品サンプル６の取付部２１（後述する）があり、後縁側は、大きく切り欠いて、透光用の開口部２２としてある。この開口部２２は、商品サンプル６の並設方向に連続している。
【００２２】
本体前面５ｂには、商品サンプル６の商品価格や冷却加温状態を示す表示パネル（図示せず）の差込部２３が形成されている。
【００２３】
サンプル取付台５の内部は、照明光源の配置空間であり、左右の側面５ｃ、５ｄに設けたソケット部２４ａ、２４ｂにより、これらの間に、ＬＥＤタイプあるいは蛍光灯タイプの照明光源（図示せず）が取付けられる。
【００２４】
次に、商品サンプルの取付部２１について説明する。
図４はサンプル取付台の要部拡大平面図、図５はサンプル取付台の要部拡大正面図、図６はサンプル取付台の要部拡大側面図である。
【００２５】
サンプル取付台５の各商品サンプルの取付位置（取付部２１）には、本体上面５ａより切り起こされて本体上面５ａと略平行に前方へ延びる第１の切り起こし部３１と、本体上面５ａより切り起こされて上方（詳しくは斜め後方）へ延びる左右一対の第２の切り起こし部３２、３２とが形成されている。尚、第１の切り起こし部３１が第１の突出部に相当し、第２の切り起こし部３２、３２が第２の突出部に相当する。
【００２６】
第１の切り起こし部３１は、所定の幅で、根元部から斜め前方へわずかに立上がったのち水平方向に前方へ延びており、第１の切り起こし部３１の下面と本体上面５ａとの間に所定の間隙Ｃ１が形成されるようにしている。
【００２７】
左右一対の第２の切り起こし部３２、３２は、それぞれ所定の幅で、根元部から斜め後方へ延びており、左右一対の切り起こし部３２、３２の間が所定の間隔Ｓ２となるようになっている。また、左右一対の切り起こし部３２、３２の突出量及び傾斜角度もそれぞれ所定の値となるようになっている。
【００２８】
そして、第１の切り起こし部３１は、左右一対の切り起こし部３２、３２の間に形成されており、これらがコンパクトにまとめて配置されている。
【００２９】
更に、左右一対の第２の切り起こし部３２、３２の後方に、本体上面５ａより切り起こされて第２の切り起こし部３２、３２と略平行に上方（詳しくは斜め後方）へ延びる第３の切り起こし部３３が設けられている。尚、第３の切り起こし部３３が第３の突出部に相当する。
【００３０】
第３の切り起こし部３３は、Ｔ字状をなして、根元側が左右一対の第２の切り起こし部３２、３２間に位置し、先端側が横方向に張出して左右一対の第２の切り起こし部３２、３２の後方に位置するようになっている。
【００３１】
そして、この第３の切り起こし部３３の板面には、突き出し成形により前方へ突出する半球面形状の凸部３４、３４が前記第２の切り起こし部３２、３２に対応して形成されている。
【００３２】
一方、図２でも説明したように、本体上面５ａの前縁側の第１の切り起こし部３１、第２の切り起こし部３２、３２、及び、第３の切り起こし部３３の後方は、透光用の開口部２２をなし、この開口部２２は、複数の商品サンプルの並設方向に連続している。
【００３３】
尚、本実施形態では、本体上面５ａは前縁側しか存在せず、後縁側は全て切り欠かれているが、本体上面５ａが前縁側と後縁側とにあり、前縁側と後縁側との間に開口部２２があるようにしてもよい。この場合、前縁側と後縁側とをつなぐブリッジを適宜設けて補強するようにしてもよい。この場合においても、開口部２２が複数の商品サンプルの並設方向に少なくとも２つ以上の商品サンプルの取付位置に跨って連続するようにすると、透光効果をより向上させることができる。
【００３４】
次に、上記構成のサンプル取付台５への商品サンプルの取付方法について説明する。
図７は第１のタイプの商品サンプル（６Ａ）の取付状態を示すサンプル取付台の側面図、図８は第２のタイプの商品サンプル（６Ｂ）の取付状態を示すサンプル取付台の側面図である。
【００３５】
第１のタイプの商品サンプル６Ａ（図７）について説明すると、これは、びん、ＰＥＴボトルなどを模して、半割りにしたもの（半割り円筒状）で、更に背面側の下部を斜めにカットした形状であり、光透過性を有する合成樹脂製である。具体的には、耐熱、耐候性に優れたポリカーボネート製の透明シートの一面に光透過性インクにより商品と同様の印刷を施し、この印刷面が内方になるように真空成型して半割り状の製品にしたものである。尚、底面側後縁部６０がこれを利用して取付けるのに適している。
【００３６】
第２のタイプの商品サンプル６Ｂ（図８）について説明すると、これは、缶飲料を模したもので、円筒の背面側の下部を斜めにカットした形状の硬質樹脂製の外枠６１と、この外枠６１に取替え可能に装着して円筒面をなすようにしたフィルム６２とからなる。このフィルム６２は、弾性を有する透光性の合成樹脂製フィルムに透光性を有する商品印刷を施し、所定の形状に打ち抜いて成形されている。
【００３７】
そして、外枠６１には、背面側カット部の傾斜面に支持部６３を有し、この支持部６３の左右の側部には、側方及び下方に開口する係止溝６４、６４を有している。
【００３８】
サンプル取付台５に、第１のタイプの商品サンプル６Ａを取付ける際は、図７に示すように、商品サンプル６Ａの底面側後縁部６０を、本体上面５ａと第１の切り起こし部３１との間の間隙に差込んで、保持させる。
【００３９】
すなわち、第１の切り起こし部３１が、本体上面５ａと協働して、半割り筒状の商品サンプル６Ａの底面側後縁部６０を挟持することにより、当該商品サンプル６Ａを保持するようにする。従って、第１の切り起こし部３１の下面と本体上面５ａとの間の所定の間隙Ｃ１は、商品サンプル６Ａの成型厚さに応じて設定しておく。
【００４０】
ここにおいて、挟持力を高めるために、第１の切り起こし部３１の下面をＶ字状にして下方へわずかに突出させるなどしてもよい。
【００４１】
サンプル取付台５に、第２のタイプの商品サンプル６Ｂを取付ける際は、図８に示すように、商品サンプル６Ｂの背面側の支持部６３の左右の側部の係止溝６４、６４を、左右一対の第２の切り起こし部３２、３２に嵌合させて、保持させる。
【００４２】
すなわち、第２の切り起こし部３２、３２が、左右の側部に係止溝６４、６４を有する商品サンプル６Ｂの前記係止溝６４、６４に係合することにより、当該商品サンプル６Ｂを保持するようにする。従って、第２の切り起こし部３２、３２間の間隔Ｓ２は、商品サンプル６Ｂの係止溝６４、６４の位置等に応じて設定しておく。第２の切り起こし部３２、３２の突出量及び傾斜角度についても同様である。
【００４３】
この際、第３の切り起こし部３３は、その凸部３４、３４が、商品サンプル６Ｂの背面側の支持部６３に当接し、適宜これを押圧して、商品サンプル６Ｂに対する支持を補強する。具体的には、商品サンプル６Ｂ側の係止溝６４の幅に対し、これに入る第２の切り起こし部３２の板厚が薄い場合に、凸部３４で位置決め、押圧して、商品サンプル６Ｂのがたつきを防止することができる。
【００４４】
本実施形態によれば、各商品サンプル取付位置に、第１の切り起こし部３１と第２の切り起こし部３２、３２とのうち、いずれか一方の切り起こし部を用いて、取付態様の異なる少なくとも２種類の商品サンプル６Ａ、６Ｂを選択的に取付可能となる。
【００４５】
すなわち、第１の切り起こし部３１は、本体上面５ａと協働して、半割り筒状の商品サンプル６Ａの底面側後縁部を挟持することにより、当該商品サンプル６Ａを取付可能であり、第２の切り起こし部３２、３２は、左右の側部に係止溝６４、６４を有する商品サンプル６Ｂの前記係止溝６４、６４に係合することにより、当該商品サンプル６Ｂを取付可能である。
【００４６】
しかも、サンプル取付台５を取付部構造を含めて板金により製作でき、アタッチメントが不要となることから、取付作業の容易化、コストダウンを実現できる。
【００４７】
また、本実施形態によれば、第１の切り起こし部３１は、左右一対の第２の切り起こし部３２、３２の間に形成されることにより、これらの切り起こし部をコンパクトにまとめることができる。これにより、本体上面５ａの前縁側に取付部構造を集中させ、後縁側を、サンプル取付台５の内部に配置される照明光源からの光を導く透光部として有効に利用できるようになる。
【００４８】
また、本実施形態によれば、本体上面５ａの第１の切り起こし部３１及び第２の切り起こし部３２、３２の後方は、透光用の開口部２２をなし、この開口部２２は、複数の商品サンプルの並設方向に連続、あるいは、少なくとも２つ以上の商品サンプルの取付位置に跨って連続することにより、サンプル取付台５の内部に配置される照明光源からの光をより有効に利用できる。
【００４９】
このような照明光の有効利用により、商品サンプルへの内方からの直接照明光やサブドアへの直接照明光の光量を増やし明るくすることができるので、より展示効果を高めることができることはもちろん、従来と同等程度の明るさを得ようとすれば、光量（光源のワット数）を小さくすることができるので、節電を図ることも可能となる。
【００５０】
また、本実施形態によれば、左右一対の第２の切り起こし部３２、３２の後方に、本体上面５ａより切り起こされて第２の切り起こし部３２、３２と略平行に上方へ延びる第３の切り起こし部３３を更に有することにより、商品サンプルに対する支持を補強することができ、より十分な支持を実現できる。逆に、商品サンプルに対する支持を補強する必要がない場合は、第３の切り起こし部３３を廃止することもできる。
【００５１】
そして、本発明に係るサンプル取付台を備えた自動販売機は、商品サンプルを取付けたり、交換する際の作業性が改善され、利用価値が一段と高まるようになる。
【００５２】
尚、以上の実施形態では、サンプル取付台５は、板金製で、第１〜第３の突出部は、本体上面より切り起こされた切り起こし部３１〜３３としたが、サンプル取付台を樹脂製として、第１〜第３の突出部を樹脂成形により形成するようにしてもよい。
【００５３】
また、図示の実施形態はあくまで本発明を例示するものであり、本発明は、説明した実施形態により直接的に示されるものに加え、特許請求の範囲内で当業者によりなされる各種の改良・変更を包含するものであることは言うまでもない。例えば、自動販売機の形態や、販売商品などについては、特に限定されるものではない。
【符号の説明】
【００５４】
１  キャビネット
２  メインドア
２ａ  窓穴
２ｂ  窓穴
３  透明パネル
４  サブドア
５  サンプル取付台
５ａ  本体上面
５ｂ  本体前面
５ｃ、５ｄ  本体側面
６（６Ａ、６Ｂ）  商品サンプル
７  商品選択ボタン
８  メインドア用のロック
９  コイン投入口
１０  返却レバー
１１  紙幣投入口
１２  表示パネル
１３  コイン返却口
１４  商品取出口
２１  取付部
２２  透光用の開口部
２３  表示パネルの差込部
２４ａ、２４ｂ  照明光源のソケット部
３１  第１の切り起こし部（第１の突出部）
３２  第２の切り起こし部（第２の突出部）
３３  第３の切り起こし部（第３の突出部）
３４  凸部
６０  底面側後縁部
６１  外枠
６２  フィルム
６３  支持部
６４  係止溝
【図１】
0005416732.tif 000002
【図２】
0005416732.tif 000003
【図３】
0005416732.tif 000004
【図４】
0005416732.tif 000005
【図５】
0005416732.tif 000006
【図６】
0005416732.tif 000007
【図７】
0005416732.tif 000008
【図８】
0005416732.tif 000009